(57)【要約】【課題】カメラ内臓のストロボを用いる方法では、口腔内などの光があたりにくい暗い部分の写真撮影が困難である。【解決手段】透明アクリル等からなる導光管とそれを支持した透明板とを有する本発明の口腔撮影用照明アダプタ装置をカメラのストロボ部分に取り付ける。導光管は透明板に付着した一端から伸び、途中でカメラレンズ部分に向かって曲げられ、さらにカメラレンズ部分の中心付近で導光管の他端が被写体を向くように曲げられる。カメラのストロボから出る光は、導光管の一端から導かれ、他端から出て被写体に照射される。ストロボの光は、透明板や導光管の曲がり部や導光管の他端からの種々の散乱光により、口腔内の暗い部分に満遍なく照射されるので、鮮明な写真等の撮影像を得ることができる。【選択図】図３
2007222384.tif 000002
【特許請求の範囲】
【請求項１】
カメラ用のストロボの光を口腔撮影に適した被写体の照射範囲に誘導する導光管および導光管を支持する透明板を有する口腔撮影用照明アダプタ装置。
【請求項２】
導光管の一端が透明板に付着していることを特徴とする、請求項１記載の口腔撮影用照明アダプタ装置。
【請求項３】
カメラに装着時において、導光管の一端はカメラの光源を向いており、導光管は、前記一端からカメラレンズ部分の方向に曲がり、さらにカメラレンズ部分で被写体方向に曲がり、導光管の他端は被写体方向を向いていることを特徴とする、請求項１または２記載の口腔撮影用照明アダプタ装置。
【請求項４】
カメラに装着時において、導光管の一端はカメラの光源を向いており、導光管は、前記一端から光源からの進行方向に伸びて、中途で下方または上方の方向に前記光源からの進行方向に関して一定角度を有して曲がり、さらに中途で被写体方向に曲がり、導光管の他端は被写体方向を向いていることを特徴とする、請求項１または２記載の口腔撮影用照明アダプタ装置。
【請求項５】
カメラに装着時において、導光管の一端はカメラの光源を向いており、導光管は、前記一端から光源からの進行方向に伸びて、中途で下方または上方の方向に前記光源からの進行方向に対して一定角度を有して曲がり、さらにカメラレンズ部分で曲がり、導光管の他端は被写体方向を向いていることを特徴とする、請求項１または２記載の口腔撮影用照明アダプタ装置。
【請求項６】
カメラに装着時において、導光管の一端はカメラの光源を向いており、導光管は、前記一端から一定角度を有して下方および内側方向へ伸びて、中途で下方および外側の方向に一定角度を有して曲がり、さらにカメラレンズ部分で曲がり、導光管の他端は被写体方向を向いていることを特徴とする、請求項１または２記載の口腔撮影用照明アダプタ装置。
【請求項７】
カメラに装着時において、導光管の一端はカメラの光源を向いており、導光管は、前記一端から一定角度を有して下方へ伸びて、中途で下方および外側の方向に一定角度を有して曲がり、さらにカメラレンズ部分で曲がり、導光管の他端は被写体方向を向いていることを特徴とする、請求項１まだは２記載の口腔撮影用照明アダプタ装置。
【請求項８】
カメラ装着時において、透明板はカメラ用ストロボ部分に密着して装着されることを特徴とする、請求項１〜７のいずれかの項記載の口腔撮影用照明アダプタ装置。
【請求項９】
カメラ装着時において、導光管の他端は、カメラレンズ部分よりも突き出て被写体に接近していることを特徴とする、請求項１〜８のいずれかの項記載の口腔撮影用照明アダプタ装置。
【請求項１０】
導光管は、透明板から伸びた後、2つの部分で曲がっていることを特徴とする、請求項１〜９のいずれかの項記載の口腔撮影用照明アダプタ装置。
【請求項１１】
導光管は２本以上であることを特徴とする、請求項１〜１０のいずれかの項記載の口腔撮影用照明アダプタ装置。
【請求項１２】
導光管の直径は５ｍｍ〜２０ｍｍであることを特徴とする、請求項１〜１１のいずれかの項記載の口腔撮影用照明アダプタ装置。
【請求項１３】
導光管はカメラレンズ部分の周辺に配置されていることを特徴とする、請求項１〜１２のいずれかの項記載の口腔撮影用照明アダプタ装置。
【請求項１４】
透明板の光の透過度は、被写体の撮影の程度により変化させた材料であることを特徴とする、請求項１〜１３のいずれかの項記載の口腔撮影用照明アダプタ装置。
【請求項１５】
導光管は透明アクリルまたは透明プラスチックまたはガラスであることを特徴とする、請求項１〜１４のいずれかの項記載の口腔撮影用照明アダプタ装置。
【請求項１６】
透明板は、透明アクリルまたは透明プラスチックまたはガラスであることを特徴とする、請求項１〜１５のいずれかの項記載の口腔撮影用照明アダプタ装置。
【発明の詳細な説明】
【技術分野】
【０００１】
この発明は、歯科医療で口の中、または歯を撮影するための口腔撮影用の照明装置に関する。
【背景技術】
【０００２】
歯科医療において、口の中または歯の状態をカメラで撮影することが一般に行われている。しかし、口の中は暗く、照明をあてなければ鮮明な撮影像を得ることができない。その対策として、一般には、カメラに内臓された照明装置を用いている。また、特別の照明装置を使い外部から照明をあてることが行われている。（例えば、特許文献１参照）あるいは、光の誘導棒を用いたアダプタをカメラに装着することが提案されている。（例えば、特許文献２参照）
【特許文献１】特開２００５−１５２５６９号公報
【特許文献２】実用新案登録第３０７５９５５号
【発明の開示】
【発明が解決しようとする課題】
【０００３】
カメラに内臓されたストロボまたはフラッシュ（以下、ストロボと記述する）を用いる方法では、カメラ前方の全体に光が照射され、口の中までは光が届かない場合が多く、口の奥の部分が暗くなりフィルムに写らないという問題がある。また正面から歯を撮影した際に、歯の表面で反射して本来の歯の色でなく、白くなってしまうという問題もある。これらの問題を解決するために、特別の照明装置を用いて、外部から照明をあてる方法が用いられているが、照明装置が高価であるという問題の他に、歯の撮影のために、最適の照明方法を見つけることが非常に難しく、試行錯誤で撮影しなければならず、撮影の失敗ということが頻繁に発生するという問題もある。また、光の誘導棒を用いる考案は、カメラへの具体的な取り付け方法および誘導棒の支持方法が不明であり、かつ誘導棒がどのように曲がっているのか不明であるなど、実施できるほどに明確でないという問題がある。
【課題を解決するための手段】
【０００４】
上記課題を解決するために、本発明においては、導光管の一端が付着して取り付けられている透明板をカメラのストロボ部分に取り付ける。導光管は、透明板から被写体方向に伸び、中途でカメラレンズ部分（カメラレンズを配置している部分をいう。カメラ鏡筒を含む部分をいうことを含む。）の方向に曲がり、さらに中途で被写体方向に曲がる。導光管の他端は、カメラレンズ部分の周辺においてカメラレンズ部分の中心付近に配置され、また被写体方向を向いている。導光管の他端は、カメラレンズ部分と同じ位置か、カメラレンズ部分の位置より被写体に接近するように突き出ている。
【発明の効果】
【０００５】
ストロボ光またはフラッシュ光（以下、ストロボ光と記述する）は、透明板を通過する光と、導光管を通る光とに分かれる。透明板を通った光は、直接ストロボから放射されるよりも、弱められ、歯などの被写体からの反射を少なくする。また、導光管の一端から入った光は、導光管を通って、被写体を向いた他端から放射され、被写体の全体を効果的に照らす。特にカメラのストロボの直接入射光または透明板を通った光では当たりにくい被写体の部分にも、導光管を通して光が照射される。さらに、導光管を中途で曲げた部分からも光の一部が散乱放射され、その散乱放射光が被写体にあたることにより、反射光の影響をさらに軽減させる。また、透明板を通してカメラのストロボ光も被写体にあたるので、充分な光量を確保できる。導光管の光の出口は、カメラレンズ部分の周辺に配置されていて、カメラレンズ部分の中心付近の位置にあるので、被写体に有効に光が照射される。
【０００６】
以上のように、撮影に適度な光量が被写体にあたり、目標の被写体全体に適度に必要な光が照射され、また反射光の影響が少ない散乱光も被写体に照射されているので、鮮明な撮影像が得られる。特にカメラのストロボの直接入射光では当たりにくい被写体の部分にも、導光管を通して光が照射されるので、被写体全体の鮮明な撮影が可能となる。また、直接ストロボ光では強すぎる光量も透明板によって適度に緩和され散乱されるので、被写体への光量も適度になる。
【０００７】
また、透明板に導光管を支持させているので、透明板及び導光管をカメラに容易に着脱できる。カメラに装備したストロボ光を使用し、透明板および導光管にはアクリル棒等の安価で容易に手に入れられる材料を使用していて、その上、特別の外部照明装置を使用していないので、、簡単で安価な照明アダプタ装置となっている。また、撮影の都度、または被写体に応じて照明やストロボの条件を変更させる必要もないので、撮影時間を著しく短縮できるという利点もある。さらに、カメラのシャッターと連動している（撮影時に必ず光が放射される）ので、経済的・効率的に光を被写体に照射できるという利点もある。
【発明を実施するための最良の形態】
【０００８】
図１(ａ)および(ｂ)は本発明の一つの実施形態を示す図である。図1(ａ)は斜視図、図１(ｂ)は横方向から見た図（側面図）である。透明板１に導光管２が取付けられている。すなわち、導光管２の一端が透明板に付着していて、導光管２は透明板１によって支持されている。図１(ｂ)に示されているように、導光管の一端は、透明板から突き出ている部分（突き出し部分）２”が存在しても良いし、突き出し部分２”がなくても良い。光が光源から導光管に、適度に、または／および有効に、入るように突き出し部分を調整できる。カメラのストロボ部分（ストロボ光の出る部分）に透明板１を接して取り付ける場合には、この突き出し部分２”は邪魔になるので、突き出し部分２”は不要であることはいうまでもない。また、導光管の一部が透明板の内部に組み込まれていて、組み込み部分２’が存在しても良いし、あるいは、組み込み部分２’がなくても良い。組み込み部分２’がない場合として、導光管２の一端を透明板に接着させる場合と、透明板と導光管を一体物として成形する場合がある。接着する場合には、透明板１と導光管２の材質に異なったものを容易に用いることができる。たとえば、透明板１としてガラスを、導光管２としてアクリルを使うことができる。あるいは、その逆も可能である。また、導光管２と透明板を接着する方法として、接着剤を用いて接着する方法がある。この場合、接着部において光の透過に支障が少ないように接着する必要がある。また、熱や振動を与え熱的に接着する方法もある。この場合は、接着剤が介在しないので、光の透過に及ぼす影響は少なくなる可能性もある。
【０００９】
図１(ａ)においては、透明板１および導光管２と、光源および被写体との位置関係が良く分かるように、光源５および被写体６も示している。導光管２の一方の端（一端）３は光源５方向を向いている。この光源５はカメラのストロボと考えることもできる。導光管２は、光源５から出た光の方向または被写体の方向に伸び、その後途中で下方または上方に曲げられている。すなわち、光源５がカメラレンズ部分より上にある場合には下方に曲がり、光源５がカメラレンズ部分より下にある場合には上方に曲がっている。図１(ｂ)に示されるように、曲げ角度は一定の角度θ１を有している。さらに導光管２は、被写体方向を向くように中途で曲げられる。本発明で記述している「光源５から出た光の方向」または「光の進行方向」とは、たとえば、後述のストロボ付きのカメラにおいては、ストロボ光が放出される方向を指す。好適には、被写体方向を指す。本発明で記述している「被写体方向」とは、撮影時におけるカメラレンズの向く方向と考えることもできる。この曲げ角度も一定の角度θ２を有している。導光管２は被写体６の方向に伸び、導光管２の他方の端（他端）４は被写体６を向いている。このような構造とすることにより、光源５からの光は導光管２の一方の端３から入り、導光管２の内部を通り、他端４から出て、被写体６に照射される。導光管の他端４は被写体６に接近しているので、光が万遍なく被写体に効率的に照射される。口の中などのように、カメラのストロボの直接光があたりにくい所にも導光管２を通った光をあてることができる。
【００１０】
導光管２の内部の光は導光管２の曲がり部７でも導光管２の外部に散乱される。その散乱光８の一部は被写体６にも放射される。散乱光の量は導光管の曲げ角度θ１により変化する。この散乱光は導光管２の他端から出る光と異なる方向性を持つ光も有するので、導光管２の他端４から出た光が被写体６にあたらない部分にもこの散乱光８があたる。また、散乱光は導光管２の他端４から出る光量を補強もする。
【００１１】
光源からの光は透明板１を通しても被写体６に放射される。被写体６の一部として歯がある。歯は白く、しかも光に対して反射率が高いので、普通にカメラのストロボからの光を照射すると、歯からの反射光が歯以外の部分に比較し強すぎるので、歯とそれ以外の部分の鮮明な画像が得られない。しかし、透明板１を通すことにより、ストロボの光は適度に弱められるので、歯からの反射光はそれ以外の部分に比較しても余り強くならず、歯とそれ以外の部分とのコントラストが適度に鮮明になる。
【００１２】
以上のように、被写体６に照射される光は、透明板１を通過した光、導光管２の他端４から出た光、および導光管の曲がり部７から出る散乱光８である。従って、色々な方向から被写体６の全体が照らし出され、被写体６の全体に満遍なく光があたるので、カメラに鮮明な撮影像を得ることができる。尚、曲げ角度θ１、θ２は、光源の大きさ・位置、カメラの大きさ、カメラレンズ部分の位置などによっても変化する。たとえば、曲げ角度θ１、θ２は、カメラレンズ部分の位置付近に導光管の他端がくるように決定される。
【００１３】
図２(ａ)および図２(ｂ)は、本発明の照明アダプタ装置をカメラにセットした様子を示す一つの実施形態である。図２(ａ)は斜視図である。カメラのストロボ部分１６に透明板１１が密着して取付けられている。ここで用いている「密着」の意味することは、カメラのストロボ部分１６と透明板１１とが接している場合のほかに、接してはいないが近接している場合も含んでいる。導光管１２の他端１４は、望ましくはカメラレンズ部分１７の中心の位置付近に配置されている。このように中心付近に配置されていると、導光管１２の他端１４から出た光が、被写体に有効にまたは／および均等に光が照射されるので、カメラの撮影像はさらに鮮明になる。また、カメラレンズ部分１７の周辺に接近して導光管１２の他端１４が配置されていると、カメラの撮影像はさらに鮮明になる。図１および図２では、導光管を２本示しているが、導光管１２はカメラレンズ部分１７に対して対称の位置にあることが望ましく、この場合光がより均等に被写体に照射されるので、撮影像がより鮮明になる。また、導光管は２本より多くても良い。たとえば、導光管は３本や４本や、それ以上でも良い。この場合も導光管はカメラレンズ部分の周辺に接近して配置され、または／および、カメラレンズ部分に対して対称の位置にあると、さらに望ましい鮮明な撮影像が得られる。
【００１４】
図２(ｂ)は、図2(ａ)を横方向から見た図（側面図）である。導光管１２の他端１４が、より望ましい位置であるカメラレンズ部分の中心位置付近にあるように示されている。尚、被写体の撮影像が鮮明に得られる場合には、中心位置付近になくとも良い。また、導光管１２の他端１４はカメラレンズ部分の先端１８よりも突き出ている。すなわち、１９が導光管の突き出し部分である。この突き出しにより、導光管の他端１４はカメラレンズ部分の先端１８よりも被写体に接近しているので、導光管１２の他端１４を出た光が、有効にまたは／および充分に被写体に照射され、これによってもより鮮明な撮影像が得られる。この突き出しは、被写体の撮影に障害にならない程度に出ていることが望ましい。しかし、被写体の撮影像が鮮明に得られる場合には、導光管１２の他端１４は、カメラレンズ部分の先端１８よりも突き出ていなくとも良い。あるいは、被写体の撮影像が鮮明に得られる場合には、カメラレンズ部分の先端１８よりもへこんでいても良い。この場合には、他端から出る光の一部は、カメラレンズ部分によってさえぎられ被写体にあたる光量は減少するが、その減少により被写体の撮影像が鮮明に得られるならば、特に問題はない。尚、細い導光管を束ねて一本の太い導光管としても良い。
【００１５】
図３(ａ)〜(ｄ)は、本発明の別の実施形態である。図３(ａ)はこの実施形態の見取り図、図３(ｂ)は平面図、図３(ｃ)は側面図、図３(ｄ)はカメラにセットした場合の模式図である。この実施形態は、透明板２１の導光管２２の取付け幅Ｗ１がカメラレンズ部分２７の幅Ｗ２よりも小さい場合における一つの実施形態である。（図３(ｄ)）この図３(ａ)〜(ｄ)に示されるように、導光管２２は透明板２１に取り付けられ、まず内側方向および下方に伸び（内側方向角度Ф１、下方角度Ф２）、途中で外側およびさらに下方に曲げられていて（外側方向角度Ф３、下方角度Ф４）、その後さらに中途で曲げられ、導光管の他端２４は被写体を向くようにしてある。最初の下方角度Ф２は二番目の下方角度Ф４より小さい。これは、それらの間の曲がり部２９で外部、特に被写体２６の方向に散乱光を放射するためである。また、この実施形態においては、導光管２２の一端２３からすぐに下方へ伸びている。これは、最初の下方角度Ф２が０の時に比較して曲がり部における曲げ角度を小さくして、外部へ放射される散乱光を少なくする目的もある。この結果相対的に、導光管２２の他端２４から出る光の量が増加する。このような段階的な傾斜をつけることにより、被写体に照射される種々の光の量を調整することもできる。また、この実施形態では、最初内側へ伸びている。さらに途中で外側へ曲がっている。内側に伸びない場合（内側方向角度Ф１＝０）に比べて、外側への曲げ角度（外側方向角度Ф３）は当然大きくなる。これにより、曲がり部における外部への放射される散乱光の量は増加する。これによっても被写体に照射される種々の光の量を調整することもできる。このような調整を行うことにより、被写体に効果的に光が照射される。透明板２１に取り付けた導光管同士の幅Ｗ１がカメラレンズ部分の幅Ｗ２よりも小さい時に、導光管の他端２４をカメラレンズ部分２７の周辺に配置するためには、導光管２２を下方だけでなく外側へも曲げる必要がある。このような曲げにより、導光管内の光が、カメラのストロボ側の一端２３から他端２４へ有効に導かれる。また導光管の曲げ部２９において、光が有効に外部に散乱される。この実施形態においても、図１または図２における場合と同様に、ストロボ光は、透明板２１、導光管２２の他端２４、および導光管の曲げ部２９から、効果的に放射され、被写体２６にあたる。この結果、被写体２６の鮮明なカメラ撮影像が得られる。尚、導光管２２をカメラレンズ部分２７の周辺や中心付近に配置する場合、カメラレンズ部分に関する導光管２２の突き出しに関する場合などについては、図１または２において説明したことと同様である。
【００１６】
図３においては、最初内側に伸びる場合（内側方向角度Ф１＞０）を示したが、曲がり部２９や導光管の他端２４からの光を調整する場合には、最初まっすぐに伸ばす場合（Ф１＝０）、あるいは外側へ伸ばす場合（＜０）も可能である。さらに、図３においては、最初下方へ伸びる場合（下方角度Ф２＞０）を示したが、最初まっすぐに伸ばす場合（Ф２＝０）、あるいは上方へ伸ばす場合（Ф２＜０）もある。さらに、これまでの方法を組み合わせる方法もある。以上により、被写体の撮影に最適な導光管の配置を選択できる。
【００１７】
導光管は透明体でできているので、導光管の曲がり部や端以外の導光管の周辺からも少し光が放射される。この弱い光も被写体に照射され、被写体の鮮明な画像を得るために有効に働く場合もある。尚、この弱い光が不要な場合にはその不要な箇所に光を放射させない物質を被覆するなどの方法を用いても良い。あるいは、導光管の表面をあらして放射光を弱める方法もある。また、導光管は透明体であることが必要だが、必ずしも透明度が高い必要はない。光を弱めたくない場合は、透過度の良い材料を用いると良い。たとえば、ガラスやアクリルやプラスチックなどである。光を適度に弱くする必要がある時には、透過度の低い物質を用いれば良い。あるいは、色の付いた透明体を用いると良い場合もある。特定の波長を持つ光を被写体に放射することにより、被写体の最適の撮影像を得ることができる場合がある。図１の説明の所で説明したように、透明板と導光管の材質は異なっていても良い。また、透明板と導光管の材質が同じでも、着色を変えても良い。このようにすることにより、被写体へ照射される光量や光の波長をかえて、より鮮明な撮影像を得ることもできる。また、導光管の直径は、ストロボ部分の大きさにもよるが、被写体の大きさにも依存する。被写体を人間の口腔とした場合には、人間の口腔の大きさから、５ｍｍ〜２０ｍｍが望ましい。このような大きさの導光管を用いた場合、人間の口腔および歯に対して満遍なく光がゆきわたるので、鮮明な口腔および歯の撮影像を得ることができる。
【００１８】
上述の説明では、本発明をカメラに用いる場合を述べているが、本発明の適用はカメラ撮影に限られない。たとえば、ビデオ撮影にも用いることができることはいうまでもない。
【産業上の利用可能性】
【００１９】
本発明は、接近した被写体に照明を照射する産業分野、たとえば歯科治療を目的として、カメラ等を用いて口腔または歯を撮影するような産業分野において、利用することができる。
【図面の簡単な説明】
【００２０】
【図１】図１は、本発明の好適な実施形態を示す図である。
【図２】図２は、図１における実施形態をカメラにセットした場合を示す一つの実施形態を示す図である。
【図３】図３は本発明の別の好適な実施形態を示す図である。
【符号の説明】
【００２１】
１・・・・透明板
２・・・・導光管
２’・・・・導光管の突き出し部分
２”・・・・導光管の組み込み部分
３・・・・導光管の一端
４・・・・導光管の他端
５・・・・光源
６・・・・被写体
７・・・・導光管の曲がり部
８・・・・散乱光
１１・・・・透明板
１２・・・・導光管
１４・・・・導光管の他端
１５・・・・カメラ本体
１６・・・・ストロボ部分
１７・・・・カメラレンズ部分
１８・・・・カメラレンズ部分の先端
１９・・・・導光管の突き出し部分
２０・・・・カメラレンズ部分の中心線
２１・・・・透明板
２２・・・・導光管
２３・・・・導光管の一端
２４・・・・導光管の他端
２５・・・・カメラ本体
２６・・・・被写体
２７・・・・カメラレンズ部分
２９・・・・導光管の曲がり部
【図１】
2007222384.tif 000003
【図２】
2007222384.tif 000004
【図３】
2007222384.tif 000005